(57)【要約】【課題】浮力体を胸当てと背当てに収納した救命用つなぎズボンにおいて、俯いて作業するとき等に背当て部分が突っ張って作業し難くならないように、背当て部分が左右に伸張可能とする。また、ズボンが床面に触れ難い状態でズボンの胸当てと背当てを下げた状態を保持し易くして、小用をし易くする救命用つなぎズボンを提供する。【解決手段】ズボン部の胴回りの上端部に連続した胸当てと背当てが設けられ、胸当てと背当てにはそれぞれ浮力体が収納されてファスナで開閉可能に連結され、胸当てと背当てが着脱具を介して左右の肩掛け用連結ベルトで着脱自在に連結される救命用つなぎズボンであって、背当ての左右間の中央部を挟んで左右両側に浮力体が収納され、中央部には、背当てが左右に引っ張られたとき左右幅が広がる上下方向に長い開口又はスリットが背当てを貫通して形成されたこと。【選択図】図４
0003135804.tif 000002
【実用新案登録請求の範囲】
【請求項１】
ズボン部の胴回りの上端部に連続した胸当てと背当てが設けられ、前記胸当てと前記背当てにはそれぞれ浮力体が収納され、前記胸当てと前記背当てが着脱具を介して左右の肩掛け用連結ベルトで着脱自在に連結される救命用つなぎズボンにおいて、前記背当ての左右間の中央部を挟んで左右両側に前記浮力体が収納され、前記中央部には、前記背当てが左右に引っ張られたとき左右幅が広がる上下方向に長い開口又はスリットが前記背当てを貫通して形成されたことを特徴とする救命用つなぎズボン。
【請求項２】
ズボン部の胴回りの上端部に連続して浮力体が収納された胸当てと背当てが設けられ、前記胸当てと前記背当てが着脱具を介して左右の連結ベルトで着脱自在に連結される救命用つなぎズボンにおいて、前記胸当てと前記背当てが左右両側において上下方向に開閉可能にファスナで連結され、前記背当てから延びて右側着脱具を介して前記胸当ての右側部と連結する肩掛け用右側連結ベルトと、前記背当てから延びて左側着脱具を介して前記胸当ての左側部と連結する肩掛け用左側連結ベルトを備え、前記右側着脱具と前記左側着脱具はそれぞれ係止突具（凸側）と係止受け具（凹側）の着脱構成であり、前記右側着脱具の係止突具（凸側）と係止受け具（凹側）の配置に対して、前記左側着脱具の係止突具（凸側）と係止受け具（凹側）の配置が逆配置であることによって、前記右側着脱具の係止突具（凸側）と前記左側着脱具の係止受け具（凹側）の着脱、または、前記右側着脱具の係止受け具（凹側）と前記左側着脱具の係止突具（凸側）の着脱によって、前記右側連結ベルトと前記左側連結ベルトを着用者の首回り部分に掛け渡し可能であり、前記背当ての左右間の中央部を挟んで左右両側に前記浮力体が収納され、前記中央部には、前記背当てが左右に引っ張られたとき左右幅が広がる上下方向に長い開口又はスリットが前記背当てを貫通して形成されたことを特徴とする救命用つなぎズボン。
【考案の詳細な説明】
【技術分野】
【０００１】
本考案は、ズボンの胴回りの上端部に連続する胸当てと背当てにそれぞれ浮力体が収納された救命用つなぎズボンに関する。
【背景技術】
【０００２】
船員、漁労従事者、港湾作業者等が、作業中に海中に転落した場合の水難事故の防止用の考案された救命用つなぎズボンがある。その一つとして、ズボンの胴回りの上端部に連続して胸当てと背当てが設けられ、この胸当てと背当てが着脱具を介して左右の連結ベルトで着脱自在に連結され、このズボンの胸当て及びまたは背当てに収容部を設け、この収容部に浮力体を収納して救命機能を備えたものがある。（例えば、特許文献１参照）。
【特許文献１】実用新案登録第３０７５９２２号
【考案の開示】
【考案が解決しようとする課題】
【０００３】
この特許文献１のズボンは、浮力体として、独立発泡樹脂からなる樹脂浮力材、袋内に気体を封入した気体浮力材、ガスによって気室を膨張させる気室膨張浮力材を単独または組み合わせで用いるものであり、胸当てと背当てがバックルを介して左右のサスペンダー（肩吊り用の連結部材）で着脱自在に連結されるものである。
【０００４】
この特許文献１のズボンは、胸当てと背当てのそれぞれ浮力体が収納され、且つ胸当てと背当てが着用者の左右の脇の下で繋がっていないため、浮力を大きくするために浮力体の厚さを厚くした場合には、俯いて作業するとき等においてブカブカした状態となって身体へのフィット感がなく、特に浮力体が突っ張って作業し難い状態が生じることが懸念される。
【０００５】
また、この特許文献１は、このズボンを着用して揺動する船上での作業中に、誤って海中へ落下したときの救命機能を持たせるものであるが、特に、男性が小便（以下「小用」と記す）をする場合は、バックルによる連結を外すか、左右のサスペンダーを肩から外して、この胸当てと背当てを下げて小用をする場合、ズボン全体が下がって、ズボンが床面に触れて汚れる等の課題がある。
【０００６】
本考案は、このような点に鑑みて、十分な浮力が得られるように浮力体を胸当てと背当てに収納した形態において、俯いて作業するとき等のブカブカ感を抑制すると共に、背当て部分が突っ張って作業し難い状態とならないように、背当て部分が左右に伸張可能な救命用つなぎズボンを提供する。また、ズボンが床面に触れ難い状態でズボンの胸当てと背当てを下げた状態を保持し易くして、小用をし易くする救命用つなぎズボンを提供する。
【課題を解決するための手段】
【０００７】
第１考案の救命用つなぎズボンは、ズボン部の胴回りの上端部に連続した胸当てと背当てが設けられ、前記胸当てと前記背当てにはそれぞれ浮力体が収納され、前記胸当てと前記背当てが着脱具を介して左右の肩掛け用連結ベルトで着脱自在に連結される救命用つなぎズボンにおいて、前記背当ての左右間の中央部を挟んで左右両側に前記浮力体が収納され、前記中央部には、前記背当てが左右に引っ張られたとき左右幅が広がる上下方向に長い開口又はスリットが前記背当てを貫通して形成された構成である。
【０００８】
また、第２考案の救命用つなぎズボンは、ズボン部の胴回りの上端部に連続して浮力体が収納された胸当てと背当てが設けられ、前記胸当てと前記背当てが着脱具を介して左右の連結ベルトで着脱自在に連結される救命用つなぎズボンにおいて、前記胸当てと前記背当てが左右両側において上下方向に開閉可能にファスナで連結され、前記背当てから延びて右側着脱具を介して前記胸当ての右側部と連結する肩掛け用右側連結ベルトと、前記背当てから延びて左側着脱具を介して前記胸当ての左側部と連結する肩掛け用左側連結ベルトを備え、前記右側着脱具と前記左側着脱具はそれぞれ係止突具（凸側）と係止受け具（凹側）の着脱構成であり、前記右側着脱具の係止突具（凸側）と係止受け具（凹側）の配置に対して、前記左側着脱具の係止突具（凸側）と係止受け具（凹側）の配置が逆配置であることによって、前記右側着脱具の係止突具（凸側）と前記左側着脱具の係止受け具（凹側）の着脱、または、前記右側着脱具の係止受け具（凹側）と前記左側着脱具の係止突具（凸側）の着脱によって、前記右側連結ベルトと前記左側連結ベルトを着用者の首回り部分に掛け渡し可能であり、前記背当ての左右間の中央部を挟んで左右両側に前記浮力体が収納され、前記中央部には、前記背当てが左右に引っ張られたとき左右幅が広がる上下方向に長い開口又はスリットが前記背当てを貫通して形成された構成である。
【考案の効果】
【０００９】
第１の考案では、十分な浮力が得られるように浮力体を胸当てと背当てに収納した形態において、俯いて作業するとき等によって、背当てが左右に引っ張られた場合、背当ての中央部に形成した上下方向に長い開口又はスリットの左右幅が広がるため、背当てのツッパリが軽減されて作業がし易くなる。これは、特に背当てに浮力体を収納した状態での効果が大きく、作業性の向上と着心地の改善の効果が大きい。そして、伸縮性のゴムを使用する場合に比して、構成が簡素化されると共に、経年による伸縮性の低下を考慮する必要がない。
【００１０】
第２の考案では、第１の考案の効果と同様の効果を奏する。更に、右側着脱具５Ａの係止突具（凸側）７と係止受け具（凹側）８が結合し、左側着脱具５Ｂの係止突具（凸側）７と係止受け具（凹側）８が結合して、右側連結ベルト６Ａと左側連結ベルト６Ｂを肩に掛けて救命用つなぎズボン１を穿いた状態において、小用をする場合、右側着脱具５Ａの係止突具（凸側）７と係止受け具（凹側）８を解除し、また左側着脱具５Ｂの係止突具（凸側）７と係止受け具（凹側）８を解除した状態で、右側連結ベルト６Ａと左側連結ベルト６Ｂを救命用つなぎズボン１の着用者の首回り部分に回し、右側連結ベルト６Ａに取り付けた係止突具（凸側）７と、左側連結ベルト６Ｂに取り付けた係止受け具（凹側）８と結合することによって、または、右側連結ベルト６Ａに取り付けた係止受け具（凹側）８と、左側連結ベルト６Ｂに取り付けた係止突具（凸側）７と結合することによって、背当て４を着用者の首回り部分に掛け渡すことができる。このため、胸当てと背当ての左右両側のファスナを開いた状態で、救命用つなぎズボン１全体を下げて小用をすることができる。この場合、首回り部分に掛け渡したベルトによって、ズボン１が落ちることが防止でき、床面に触れて汚れることを防止できるようになる。
【考案を実施するための最良の形態】
【００１１】
本考案の救命用つなぎズボンは、ズボン部の胴回りの上端部に連続した胸当てと背当てが設けられ、前記胸当てと前記背当てにはそれぞれ浮力体が収納され、前記胸当てと前記背当てが着脱具を介して左右の肩掛け用連結ベルトで着脱自在に連結される救命用つなぎズボンにおいて、前記背当ての左右間の中央部を挟んで左右両側に前記浮力体が収納され、前記中央部には、前記背当てが左右に引っ張られたとき左右幅が広がる上下方向に長い開口又はスリットが前記背当てを貫通して形成されたものである。以下に本考案の実施形態を記載する。
【実施例１】
【００１２】
次に、本考案の実施の形態について説明する。各図は本考案の実施形態を示しており、図１は本考案に係る救命用つなぎズボンの前面図、図２は本考案に係る救命用つなぎズボンの背面図、図３は本考案に係る救命用つなぎズボンに収納された浮力体の配置状態を示す前面図、図４は本考案に係る救命用つなぎズボンに収納された浮力体の配置状態を示す背面図、図５は本考案に係る救命用つなぎズボンの胸当て部の浮力体部分の縦断側面図、図６の（イ）は本考案に係る救命用つなぎズボンの背当ての開口部を示す縦断側面図であり、(ロ)は背当ての開口部を外れた箇所の縦断側面図である。図７は本考案に係る救命用つなぎズボンの膝の前側部の浮力体部分の縦断側面図、図８は本考案に係る救命用つなぎズボンの連結ベルトに設けた着脱具５Ａの係止受け具（凹側）と係止突具（凸側）の斜視図、図９は本考案に係る救命用つなぎズボンの連結ベルトに設けた着脱具５Ｂの係止受け具（凹側）と係止突具（凸側）の斜視図、図１０は本考案に係る連結ベルトが蛇腹カバーで覆われた構成図、図１１は本考案に係る救命用つなぎズボンを着用した状態を斜視図で示す説明図、図１２は本考案に係る救命用つなぎズボンの胸当て部を開いてつなぎズボンを下げようとする状態を斜視図で示す説明図、図１３は本考案に係る救命用つなぎズボンの胸当てと背当てを繋ぐ脇部分の構成を示す斜視図である。
【００１３】
本考案の実施例を図に基づき説明する。１は救命用つなぎズボンである。この救命用つなぎズボン１は、着用する人が穿くズボン部２と、そのズボン部２の胴回り部２Ａの上端部に連続して胸当て３と、規定によって定められたオレンジ色の背当て４が設けられ、胸当て３と背当て４の左右両側（着用者の両脇下部分）は、ファスナ４１によって上端部から胴回り部２Ａ付近まで上下方向に開閉可能に連結され、また、胸当て３と背当て４の上端部は、着脱具５Ａ、５Ｂを介して着用する人の肩掛けとなる左右の連結ベルト６Ａ、６Ｂで着脱自在に連結される構成である。胸当て３は、図１１に示すように、救命用つなぎズボン１の着用者の胸部の上部部分まで覆う広さを有し、また背当て４は、正面視で胸当て３よりも若干上位まで延びた長さをもって、救命用つなぎズボン１の着用者の背中部分の略全体を覆う広さを有する。
【００１４】
胸当て３と背当て４の左右両側（着用者の両脇下部分）は、ファスナ４１によって連結されているが、救命用つなぎズボン１を着用した人が、作業し易いように、胸当て３と背当て４の左右両側（着用者の両脇下部分）は、背当て４の左右から延びた幅広い脇部材５０によって連結され、この脇部材５０の前端部または中間部が、ファスナ４１によって上端部から胴回り部２Ａ付近まで上下方向に開閉可能に連結されている。図示の形態は、脇部材５０の前端部と胸当て３の左右端部が、ファスナ４１によって開閉可能に連結された形態を示している。
【００１５】
ファスナ４１は、左右両側に多数のフックが帯状配列されたフック部分４１Ａが、スライダ４１Ｂの往復によって、噛み合った状態と分離した状態とに開閉できる周知の構成である。スライダ４１Ｂを上昇させる（引き上げる）ことによって、左右のフックが係合してフック部分４１Ａが閉じるため、胸当て３と背当て４とが防水性の可撓性シートで構成された脇部材５０によって、救命用つなぎズボン１の着用者の脇の下またはその近傍に達する上端まで結合される。そして、スライダ４１Ｂを下降させる（引き下げる）ことによって、左右のフックの係合が解除されてフック部分４１Ａが開き、胸当て３と脇部材５０の連結が解除され、胸当て３と背当て４とが上端から開き、救命用つなぎズボン１の着用者の脇の下から下方に向かって胸当て３と背当て４とが離れる。
【００１６】
脇部材５０を設けることによって、救命用つなぎズボン１の着用者が作業するとき、胸部の左右部分から水が救命用つなぎズボン１内へ侵入し難くなり、作業し易くなる。スライダ４１Ｂを上昇させてファスナ４１を閉じたとき、ファスナ４１を紫外線や外力からカバーするために、ファスナ４１の前後位置において、胸当て３側に縫合又は溶着によって前カバー５１Ａが取り付けられ、また脇部材５０側に縫合又は溶着によって後ろカバー５１Ｂが取り付けられている。前カバー５１Ａと後ろカバー５１Ｂは、それぞれ適所に防水性面状接着ファスナ５２Ａ、５２Ｂが取り付けられており、ファスナ４１を覆うように前カバー５１Ａと後ろカバー５１Ｂを重ね合わせた状態で、面状接着ファスナ５２Ａ、５２Ｂの押し圧による接着によって、この重ね状態を維持でき、この面状接着ファスナ５２Ａ、５２Ｂの接着を引き剥がすことによって、ファスナ４１を開閉操作できる。
【００１７】
着用する人の肩掛け用右側連結ベルト６Ａは、背当て４の左側部４Ａから延びて右側着脱具５Ａを介して胸当て３の右側部３Ａと連結する伸縮自在な構成のベルトである。また、着用する人の肩掛け用左側連結ベルト６Ｂは、この右側連結ベルト６Ａと背部で交差し、背当て４の右側部４Ａから延びて左側着脱具５Ｂを介して胸当て３の左側部３Ｂと連結する伸縮自在な構成のベルトである。なお、右側連結ベルト６Ａと左側連結ベルト６Ｂの交差部は、縫合または溶着にて結合しているため、左右の配置が正確となり、左右を間違えるここがなくなる。
【００１８】
右側連結ベルト６Ａと左側連結ベルト６Ｂは、背側で交差する配置であり、右側着脱具５Ａと左側着脱具５Ｂは、図８と図９に示すように同じ構成であり、それぞれ係止突具（凸側）７と係止受け具（凹側）８の着脱構成である。この係止突具（凸側）７と係止受け具（凹側）８は、救命用つなぎズボンの装着者が、係止突具（凸側）７の先端に延びる一対の弾性係止部９、９の弾性を利用して、係止受け具（凹側）８の挿入開口８Ｂから弾性係止部９、９を接近方向へ縮ませつつ挿入することによって、弾性係止部９、９の先端部の係止部９Ａ、９Ａが係止受け具（凹側）８の左右側面に開口した係止孔１０、１０の端部１０Ａ、１０Ａに弾性係止することによって、係止突具（凸側）７が係止受け具（凹側）８に結合される仕組みである。
【００１９】
この係止突具（凸側）７と係止受け具（凹側）８の結合は、救命用つなぎズボン１の装着者が、係止受け具（凹側）８の係止孔１０、１０の外方から、係止部９Ａを押し圧して弾性係止部９、９を接近方向へ縮ませつつ、係止突具（凸側）７を係止受け具（凹側）８から引き抜くことによって、係止突具（凸側）７と係止受け具（凹側）８の結合が解除できる構成である。
【００２０】
この係止突具（凸側）７と係止受け具（凹側）８の結合と解除の操作がし易いように、右側連結ベルト６Ａの先部に係止突具（凸側）７が設けられ、左側連結ベルト６Ｂの先部に係止受け具（凹側）８が設けられ、胸当て３の右側部３Ａに取り付けた短い保持ベルト１１に係止受け具（凹側）８が設けられ、胸当て３の左側部３Ｂに取り付けた短い保持ベルト１１に係止突具（凸側）７が設けられている。
【００２１】
これによって、右側連結ベルト６Ａと左側連結ベルト６Ｂは、背側で交差する配置であり、右側着脱具５Ａの係止突具（凸側）７と係止受け具（凹側）８の配置に対して、左側着脱具５Ｂの係止突具（凸側）７と係止受け具（凹側）８の配置が逆配置であることによって、右側着脱具５Ａの係止突具（凸側）７と左側着脱具５Ｂの係止受け具（凹側）８の着脱と、右側着脱具５Ａの係止受け具（凹側）８と左側着脱具の係止突具（凸側）７の着脱が、いずれも可能である。
【００２２】
救命用つなぎズボン１の使用者の身長等に合わせて、右側連結ベルト６Ａと左側連結ベルト６Ｂによる救命用つなぎズボンの装着具合、即ち、救命用つなぎズボン１を穿いた状態で、右側連結ベルト６Ａと左側連結ベルト６Ｂをその着用者の肩に掛けたときの締め具合を調節するために、右側連結ベルト６Ａと左側連結ベルト６Ｂに対して、係止突具（凸側）７の取り付け位置が調節できる構成である。
【００２３】
この仕組みを図８と図９に基づき説明する。図８に示すように、右側着脱具５Ａにおいて、胸当て３の右側部３Ａに取り付けた短い保持ベルト１１の先端部に、係止受け具（凹側）８が保持されている。そして、係止突具（凸側）７の桟７Ａに対して、ベルト６ＡがＵターン状に掛かっており、ベルト６Ａを係止突具（凸側）７の桟７Ａに対して緩めることによって、ベルト６Ａに対して係止突具（凸側）７を移動することができる。そして、所定の位置において係止突具（凸側）７の桟７Ａに対してベルト６Ａを引っ張る（緊張する）ことによって、その位置で係止突具（凸側）７がベルト６Ａに固定される仕組みである。この仕組みは、通常用いられる方式である。このため、所定の長さに調節した状態で、係止突具（凸側）７と係止受け具（凹側）８との結合によって、係止突具（凸側）７と係止受け具（凹側）８を相互に離れる方向へ引っ張っても、係止突具（凸側）７の桟７Ａの部分でベルト６Ａは緩まない構成である。
【００２４】
また、左側着脱具５Ｂにおいて、図９に示すように、胸当て３の左側部３Ｂに取り付けた短い保持ベルト１１の先端部に、係止突具（凸側）７が保持されている。そして、係止受け具（凹側）８の桟８Ａに対して、ベルト６ＢがＵターン状に掛かっており、ベルト６Ｂを係止受け具（凹側）８の桟８Ａに対して緩めることによって、ベルト６Ｂに対して係止受け具（凹側）８を移動することができる。そして、所定の位置において係止受け具（凹側）８の桟８Ａに対してベルト６Ｂを引っ張る（緊張する）ことによって、その位置で係止受け具（凹側）８がベルト６Ｂに固定される仕組みである。この仕組みは、通常用いられる方式である。このため、所定の長さに調節した状態で、係止突具（凸側）７と係止受け具（凹側）８との結合によって、係止突具（凸側）７と係止受け具（凹側）８を相互に離れる方向へ引っ張っても、係止受け具（凹側）８の桟８Ａの部分でベルト６Ｂは緩まない構成である。
【００２５】
救命用つなぎズボン１は、装着者が水中に転落したとき、水面に浮くようにするために浮力体１５が適所に収納されている。胸当て３の浮力体１５は、救命用つなぎズボン１の防水性の表皮（表側材）２０の裏側に、浮力体１５の収容部３３を形成した浮力体保持部３５Ａによって保持されている。
【００２６】
実施例の胸当て３の浮力体１５は、救命用つなぎズボン１の着心地と動き易さをよくするために、複数の浮力体１５で構成されている。浮力体保持部３５Ａの一つの形態として、図５に示すように、浮力体１５は、第１浮力体１５Ａ、第２浮力体１５Ｂ、第３浮力体１５Ｃで構成されており、浮力体保持部３５Ａは、柔らかい素材の防水性の第１支持部材（または第１被覆材という）３０Ａと防水性の第２支持部材（または第２被覆材という）３１Ａとの間に、平面状で分割された複数の収容部３３を形成した構成であり、各浮力体１５Ａ、１５Ｂ、１５Ｃがそれぞれ独立した収容部３３に収納された状態となる。この一つの方法として、第１支持部材３０Ａと第２支持部材３１Ａは、第１浮力体１５Ａ、第２浮力体１５Ｂ、第３浮力体１５Ｃの全体を覆う大きさの柔軟性の布状材で構成され、各収容部３３を形成するように、第１浮力体１５Ａ、第２浮力体１５Ｂ、第３浮力体１５Ｃを取り囲む周囲において、第１支持部材３０Ａと第２支持部材３１Ａが縫合部３４Ａ又は溶着部３４Ａによって結合されている。
【００２７】
浮力体保持部３５Ａは、その上部の上端縁部３５Ａ１と上部の斜めの左右縁部３５Ａ２が、救命用つなぎズボン１の防水性の表皮（表側材）２０の裏側に縫合又は溶着によって結合され、また、浮力体保持部３５Ａの下部は、救命用つなぎズボン１の着心地と動き易さをよくするために、左右縁部３５Ａ２の下方部分である左右縁部３５Ａ３と下端縁部３５Ａ４が表皮（表側材）２０に結合されずに分離した状態である。また、浮力体保持部３５Ａの下端縁部は、ベルト３２Ａによって表皮（表側材）２０の裏側に縫合又は溶着によって結合されている。
【００２８】
また、背当て４の浮力体１５は、救命用つなぎズボン１の防水性の表皮（表側材）２０の裏側に、浮力体１５の収容部３３を形成した浮力体保持部３５Ｂによって保持されている。実施例の背当て４の浮力体１５は、救命用つなぎズボン１の着心地と動き易さをよくするために、複数の浮力体１５で構成されている。その一つの形態として、図６に示すように、浮力体１５は第１浮力体１５Ｄ、第２浮力体１５Ｅで構成されており、浮力体保持部３５Ｂは、柔らかい素材の防水性の第１支持部材（または第１被覆材という）３０Ｂと防水性の第２支持部材（または第２被覆材という）３１Ｂとで形成した袋状の収容部３３を形成した構成であり、各浮力体１５Ｄ、１５Ｅが収容部３３に収納された状態となる。このため、第１支持部材３０Ｂと第２支持部材３１Ｂは、第１浮力体１５Ｄ、第２浮力体１５Ｅの全体を覆う大きさの柔軟性の布状材で構成され、第１浮力体１５Ｄと第２浮力体１５Ｅを取り囲む周囲において、第１支持部材３０Ｂと第２支持部材３１Ｂが縫合部３４Ｂ又は溶着部３４Ｂによって結合されている。図示のものは、左側の浮力体１５Ｄと１５Ｅが左側の１つの収容部３３に収納され、右側の浮力体１５Ｄと１５Ｅが右側の１つの収容部３３に収納された形態であり、胸当て３の浮力体１５のように、浮力体１５Ｄと１５Ｅを上下に区画するような独立した収容部３３の形態ではないが、胸当て３の浮力体１５のように、浮力体１５Ｄと１５Ｅを上下に区画するような独立した収容部３３の形態であっても差し支えない。
【００２９】
図４に示すように、浮力体保持部３５Ｂは、その上部の上端縁部３５Ｂ１と上部の斜めの左右縁部３５Ｂ２が、救命用つなぎズボン１の防水性の表皮（表側材）２０の裏側に縫合又は溶着によって結合され、また、浮力体保持部３５Ｂの下部は、救命用つなぎズボン１の着心地と動き易さをよくするために、斜めの左右縁部３５Ｂ２の下方部分である左右縁部３５Ｂ３と下端縁部３５Ｂ４が表皮（表側材）２０に結合されずに分離した状態である。また、浮力体保持部３５Ｂの下端縁部は、ベルト３２Ｂによって表皮（表側材）２０の裏側に縫合又は溶着によって結合されている。
【００３０】
表皮（表側材）２０、第１被覆材３０Ａ、３０Ｂと第２被覆材３１Ａ、３１Ｂ、ベルト３２Ａ、３２Ｂ等、救命用つなぎズボン１に使用される素材は、吸水性のない合成樹脂製が用いられ、特にメイン生地となる表皮（表側材）２０は、３００デニールのポリエステルにポリ塩化ビニルをコーティングしたもの等が用いられる。
【００３１】
また、浮力体１５Ａ、１５Ｂ、１５Ｃは、十分な浮力を得るために、厚さが３５ｍｍ〜４５ｍｍ（実施例では４０ｍｍ）の独立気泡の発泡性合成樹脂の板材が、胸当て３の略全域に配置されるように用いられる。また浮力体１５Ｄ、１５Ｅは、十分な浮力を得るために、厚さが３５ｍｍ〜４５ｍｍ（実施例では４０ｍｍ）の独立気泡の発泡性合成樹脂の板材が、略背当て４の略全域に配置されるように用いられる。この発泡性合成樹脂として、ポリウレタン、ポリエチレン等のように吸水性のない材料であって比重が小さく、救命用つなぎズボン１を着用した人が水面に浮く状態、特に顔面と頭部及び胸部が、水面に浮く状態を保持するのに十分な浮力を与える大きさのものが使用される。なお、背当て４の浮力体１５の浮力に比して、胸当て３の浮力体１５の浮力を大きく設定すれば、水面に浮くとき、顔面を上側に保持し易くなり、安全な姿勢制御がし易くなる。
【００３２】
後述のように、救命用つなぎズボン１を穿き、右側連結ベルト６Ａと左側連結ベルト６Ｂをそれぞれこのズボン１の着用者の右肩と左肩に掛けた状態で、このズボン１の着用者が作業するとき、上半身を屈んだり捻じったり等の動作において、背当て４が突っ張って作業し難い場合がある。この背当て４の突っ張りを軽減して、作業がし易くなるようにするために、背当て４の左右間の中央部には、背当て４が左右に引っ張られたとき、左右方向に開くように上下方向に長い開口１００が、背当て４を貫通して形成されている。
【００３３】
この上下方向に長い開口１００は、背当て４の表皮（表側材）２０を貫通した貫通部１００Ａと、貫通部１００Ａに対応して、各浮力体１５Ｄ、１５Ｅが連続してまたはそれぞれ独立して収納された収容部３３を貫通した貫通部１００Ｂによって形成されている。この貫通部１００Ｂによって、収容部３３が左右に分割されるようになり、この左右の収容部３３に、上下関係に浮力体１５Ｄ、１５Ｅが収納されている。
【００３４】
貫通部１００Ａの端部２０Ａは、ほつれないように縫合又は溶着によって結合されている。また、貫通部１００Ｂは、図６（イ）に示すように、第１支持部材（または第１被覆材という）３０Ｂが貫通部１００Ｂの壁を形成するように、第２支持部材（または第２被覆材という）３１Ｂに達するように折り曲げて、その端部が第２支持部材（または第２被覆材という）３１Ｂと縫合又は溶着によって結合されている。
【００３５】
救命用つなぎズボン１を穿いて、右側連結ベルト６Ａと左側連結ベルト６Ｂをそれぞれこのズボン１の着用者の右肩と左肩に掛けた状態で、このズボン１の着用者が通常の直立に立った状態において、この開口１００は、図示のように予め所定幅（例えば、１０〜３０ｍｍ幅であり、図示のものは２０ｍｍ）をもって上下に長く延びた（例えば、１４０〜２００ｍｍであり、図示のものは１７０ｍｍ）細長い開口形状に形成したものである。
【００３６】
これによって、このズボン１の着用者が、上半身を屈んだり捻じったり等の動作をするとき、この開口１００が、その幅を広げるように変形することにより、恰も背当て４が延びた状態と同様に、背当て４の突っ張りを軽減できるようになる。特に、開口１００において、表皮（表側材）２０と収容部３３とが、縫合又は溶着によって結合されておらず分離しており、このズボン１の着用者が、上半身を屈んだり捻じったり等の動作と左右の腕を動かすとき、表皮（表側材）２０と収容部３３とが自由に動くようになり、更に、そのとき、背中の外側となる表皮（表側材）２０の貫通部１００Ａが左右に広がると共に、収容部３３間を貫通した貫通部１００Ｂも左右に広がることによって、作業中の背当て４の突っ張りが緩和され、左右の腕の動きも容易となる。
【００３７】
背当て４の左右間の中央部に形成した開口１００によって、背当て４を貫通して救命用つなぎズボン１を穿いた着用者の背中への通気性が向上するため、この着用者が作業するときの背中の蒸れの防止効果を奏することができる。
【００３８】
また、この開口１００の他の形態、またはこの開口１００に代わる形態として、上記のようにこのズボン１の着用者が通常の直立に立った状態において、この開口１００の左右縁が近接または当接して、開口が略塞がった状態となるスリット１００を形成した形態とし、上記同様に、上半身を屈んだり捻じったり等の動作において、このスリット１００がその幅を広げるように変形することにより、恰も背当て４が延びた状態と同様に、背当て４の突っ張りを軽減できるようにする形態でもよい。なお、背当て４に伸縮性を持たせるために、開口１００またはスリット１００に代えて、伸縮性のゴムを使用する方法もあろうが、ゴムは紫外線に弱いため、紫外線を防止するカバー構造が必要となり、構成が複雑化することと、また、ゴムの経年劣化による伸縮性の低下があるため、好ましくない。
【００３９】
右側連結ベルト６Ａと左側連結ベルト６Ｂは、一部分がそれぞれゴム製の伸縮ベルト６Ａ１、６Ｂ１で構成されている。即ち、右側連結ベルト６Ａのうち、背当て４の左側部４Ｂに縫合又は溶着によって取り付けた部分から所定長さ（実施例では、ズボン１の着用者の背中に対応する部分）の範囲が、伸縮自在な構成のベルト６Ａ１であり、また、左側連結ベルト６Ｂのうち、背当て４の右側部４Ａに縫合又は溶着によって取り付けた部分から所定長さ（実施例では、ズボン１の着用者の背中に対応する部分）の範囲が、伸縮自在な構成のベルト６Ｂ１である。
【００４０】
このような伸縮自在な構成部分は、図１０に示すように、伸縮自在なベルト６Ａ１と伸縮自在なベルト６Ｂ１は、紫外線による劣化防止のために、それぞれ伸縮自在な合成樹脂製の防水性蛇腹カバー４０で覆われた構成である。それぞれの防水性蛇腹カバー４０は、一端が右側連結ベルト６Ａと左側連結ベルト６Ｂに縫合又は溶着によって取り付けられ、他端が背当て４に縫合又は溶着によって取り付けられている。
【００４１】
このため、救命用つなぎズボン１を着用する人に合わせて、上記のように、右側連結ベルト６Ａと左側連結ベルト６Ｂに対する係止突具（凸側）７と係止受け具（凹側）８の取り付け位置を調節した状態で、右側連結ベルト６Ａと左側連結ベルト６Ｂは、それぞれ救命用つなぎズボン１を着用する人の右肩と左肩に掛けて、伸張した状態で使用される。伸張の長さは最大４００ｍｍに設定しているが、これに限定されない。
【００４２】
更に、救命用つなぎズボン１は、ズボン部２の左右の膝部分２Ｂの前側部の内側に、それぞれの浮力体１５Ｆが収納されている。実施例では、図７に示すように、表皮（表側材）２０のうち、ズボン部２の左右の膝部分２Ｂの前側部の内側に、それぞれ柔軟性の第３支持部材（または第３被覆材という）３１Ｃによって、浮力体１５Ｆが上下左右に若干の動き得る余裕を存して支持されている。一つの方法として、この第３支持部材３１Ｃを浮力体１５Ｆより広い大きさの柔らかい素材の防水性の被覆布材３１Ｃで構成する場合は、浮力体１５Ｆが上下左右に若干の動き得る余裕を存した状態で、その被覆布材３１Ｃの周縁部を、表皮（表側材）２０の裏側に縫合部３４Ｃ又は溶着部３４Ｃによって縫合又は溶着することによって、表皮（表側材）２０との間に収容部３３を形成し、収容部３３に浮力体１５Ｆを収容する。
【００４３】
また、他の方法として、この第３支持部材３１Ｃを上下に延びる複数の帯状材３１Ｃで構成する場合は、その帯状材３１Ｃの上下端部を、表皮（表側材）２０の裏側に縫合部３４Ｃ又は溶着部３４Ｃによって縫合又は溶着することによって、表皮（表側材）２０との間に収容部３３を形成し、収容部３３に浮力体１５Ｆを収容する。
【００４４】
この浮力体１５Ｆは、救命用つなぎズボン１を穿いた人の膝の全体を前面側から覆う大きさに形成され、膝の屈伸のし易さを考慮して、図３に示すように、長方形状ではなく、中間部が左右から狭まった形状を呈している。単純な長方形状の場合には、膝を屈曲させたとき、中間部の左右部分全体が折れ曲がって突っ張るが、このように中間部が左右から狭まった形状によって、膝を屈曲させたときのこのような突っ張りが解消され、膝の屈伸がし易くなる。
【００４５】
なお、浮力体１５Ｆ全体の形状として、図３に示すように、浮力体１５Ｆの上端部と下端部がそれぞれ上方と下方へ突出した形状をなすと共に、左右から狭まった部分の上下箇所が左右に突出した形状をなすことによって、膝の屈曲のし易さが向上すると同時に適度に必要な浮力がバランス良く得られる。なお、浮力体１５Ｆの厚さが比較的薄い場合や十分な柔軟性を持っている場合には、浮力体１５Ｆの上端部と下端部が単に直線状に平坦な形状であっても差し支えない。
【００４６】
また、十分な浮力を得るためと、救命用つなぎズボン１の着心地と、膝の屈伸をし易いようにするために、この浮力体１５Ｆは、厚さが４ｍｍ〜８ｍｍ（実施例では６ｍｍ）の独立気泡の発泡性合成樹脂の板材が用いられ、この発泡性合成樹脂として、ポリウレタン、ポリエチレン等のように吸水性のない材料であって比重が小さく、救命用つなぎズボン１を着用した人の脚部が、水面に浮く状態を保持するのに十分な浮力を与える大きさのものが使用される。
【００４７】
救命用つなぎズボン１の着心地と膝の屈伸をし易いようにするために、救命用つなぎズボン１を穿いた人の膝の脛部分に対するように、膝部分２Ｂには前方へ膨らんだ膨らみ部２Ｂ１を形成し、この膨らみ部２Ｂ１に沿って収容部３３に浮力体１５Ｆが収容されている。
【００４８】
なお、救命用つなぎズボン１の着心地と膝の屈伸をし易いようにするために、膝部分２Ｂの浮力体１５Ｆは比較的薄いため、作業中に破損する場合もあることを考慮して、浮力体１５Ｆの交換がし易い構成とすることもできる。その場合には、上記のように、第３支持部材３１Ｃを浮力体１５Ｆより広い大きさの柔らかい素材の被覆布材３１Ｃで構成する場合は、収容部３３の一部、例えば下部は、縫合部３４Ｃ又は溶着部３４Ｃに代えて、収容部３３の下部が面状接着ファスナによって脱着できる構成とすればよい。また、上記のように、第３支持部材３１Ｃを上下に延びる複数の帯状材３１Ｃで構成する場合は、浮力体１５Ｆを複数の帯状材３１Ｃの支持から取り外して、新しい浮力体１５Ｆを複数の帯状材３１Ｃで支持する状態に装着すればよい。
【００４９】
救命用つなぎズボン１を着用した人が水中に転落した場合、その人が胸当て３の浮力体１５と背当て４の浮力体１５によって、水面に浮くが、この場合、浮力体１５Ｆによって、その人の膝も浮くようになり、略その人が身体の前面を上にして水平状態で水面に浮くようになり、救助を待つ間の体温低下や疲労度を軽減できる。特に、その人の膝の前側が水面に浮くようになるため、転落したその人は、身体の前面を上にして水面に水平状態に浮く状態を保持することができ、水中に転落した場合の姿勢制御がし易く、呼吸の確保や救助を待つ間の体温低下や疲労度を軽減できる安全な姿勢で救助を待つことができる。
【００５０】
収容部３３と浮力体１５Ｆは、救命用つなぎズボン１を着用した人の膝部を広く覆う大きさに形成され、救命用つなぎズボン１を着用した人が、船上の床や作業場の床等に膝部をついて作業する場合等において、その膝を保護することができる。
【００５１】
また、溶着部３４Ａ、３４Ｂ、３４Ｃは、高周波溶着やその他の接着にすれば防水効果も発揮できるため、防水上での問題はないが、このような溶着や接着に代えて、縫合する場合は、縫合部３４Ａ、３４Ｂ、３４Ｃを含む各縫合部に防水機能をもたせるために、その縫合部に防水機能を持つシームテープを貼り付けて、防水効果も発揮できるようにすることができる。
【００５２】
図１１には、使用者がジャケットやウインドブレーカ等の上着４４を着用した上に、救命用つなぎズボンを着用した状態を斜視図で示している。救命用つなぎズボン１の左右の裾部分には、着用時に裾部分を足首部分に縛るために、接合と剥離自在機能の合成樹脂で形成された防水性面状接着ファスナ４２が取り付けられている。また、救命用つなぎズボン１を着用した人が水中に転落した場合、その人の存在を示す目印となるように、胸当て３の前面左右部分に光反射部材４３が取り付けられている。
【００５３】
上記の構成において、救命用つなぎズボン１を着用者が着用する場合は、胸当て３と背当て４の左右両側のファスナ４１を開いた状態とすることによって、ズボン部２に両足を入れて穿き易くなる。このズボン１を穿いた状態で、胸当て３と背当て４の左右両側のファスナ４１のスライダ４１Ｂを上昇させる（引き上げる）ことによって、左右から突出した上下方向に帯状配列のフック部分４１Ａが係合し、胸当て３と背当て４とを上端まで結合する。そして、図１に示すように、右側着脱具５Ａの係止突具（凸側）７と係止受け具（凹側）８が結合し、左側着脱具５Ｂの係止突具（凸側）７と係止受け具（凹側）８が結合する。そして、裾部分を長靴等を履いた上から足首部分に面状接着ファスナ４２で縛る。また、必要に応じて、右側連結ベルト６Ａと左側連結ベルト６Ｂの引っ張り具合を調節するために、上記のように、右側連結ベルト６Ａと左側連結ベルト６Ｂに対して、係止突具（凸側）７の取り付け位置を調節することができる。
【００５４】
このようにして、右側着脱具５Ａの係止突具（凸側）７と係止受け具（凹側）８を結合し、左側着脱具５Ｂの係止突具（凸側）７と係止受け具（凹側）８を結合して、右側連結ベルト６Ａと左側連結ベルト６Ｂを肩に掛けて、救命用つなぎズボン１を穿いた正規の状態において、小用をする場合、右側着脱具５Ａの係止突具（凸側）７と係止受け具（凹側）８を解除し、左側着脱具５Ｂの係止突具（凸側）７と係止受け具（凹側）８を解除し、その解除状態において、図１２に示すように、右側連結ベルト６Ａと左側連結ベルト６Ｂを救命用つなぎズボン１の装着者の首回り部分に回し、右側連結ベルト６Ａに取り付けた右側着脱具５Ａの係止突具（凸側）７の弾性係止部９、９を、左側連結ベルト６Ｂに取り付けた係止受け具（凹側）８の挿入開口８Ｂに挿入して、弾性係止部９、９の先端部の係止部９Ａ、９Ａを係止受け具（凹側）８の左右側面の係止孔１０、１０の端部１０Ａ、１０Ａに弾性係止することによって、係止突具（凸側）７と係止受け具（凹側）８を結合する。
【００５５】
これによって、右側連結ベルト６Ａと左側連結ベルト６Ｂが救命用つなぎズボン１の装着者の首回り部分に掛け渡された状態となり、背当て４は首回り部分にかかった右側連結ベルト６Ａと左側連結ベルト６Ｂによって保持された状態である。一方、胸当て３は、右側連結ベルト６Ａと左側連結ベルト６Ｂからフリーの状態となる。
【００５６】
この状態で胸当て３と背当て４は、ファスナ４１によって連結された状態であるため、ファスナ４１のスライダ４１Ｂを下方へスライドさせることによって、ファスナ４１の帯状配列のフック部分４１Ａが開き、胸当て３と背当て４とが上部から離れ、図１２に示すように、胴回り部２Ａ付近を折り返し部として、胸当て３を前方へ倒すことができる。胴回り部２Ａ付近を折り返し部として、という意味は、胴回り部２Ａの位置と、ファスナ４１を長くして、胸当て３と背当て４とが胴回り部２Ａよりも若干下方位置まで開くことができるようにした場合を含む意味である。いずれにしても、後述のように、小用し易い位置まで救命用つなぎズボン１を押し下げたとき、前方へ倒した胸当て３が床面に触らないような位置までファスナ４１を形成していることは勿論のことである。
【００５７】
このように、ファスナ４１を開いて図１２に示す状態において、右側連結ベルト６Ａと左側連結ベルト６Ｂの一部分である伸縮ベルト６Ａ１、６Ｂ１の伸縮を利用して、小用し易い位置まで、救命用つなぎズボン１を押し下げることができる。この場合、背当て４が、首回り部分にかかった右側連結ベルト６Ａと左側連結ベルト６Ｂによって保持されているため、背当て４まで含んで救命用つなぎズボン１が余計に下がることはない。このため、救命用つなぎズボン１全体が下がって、床面に触れて汚れることを防止できるようになる。
【００５８】
小用後は、救命用つなぎズボン１を引き上げ、左右のファスナ４１を締め、救命用つなぎズボン１の装着者の首回り部分にかかった右側連結ベルト６Ａの係止突具（凸側）７と左側連結ベルト６Ｂの係止受け具（凹側）８との係合を外し、図１に示すように、右側着脱具５Ａの係止突具（凸側）７と係止受け具（凹側）８を結合し、左側着脱具５Ｂの係止突具（凸側）７と係止受け具（凹側）８を結合して、正規の着用状態に戻す。
【００５９】
上記において、左右のファスナ４１の操作と、右側連結ベルト６Ａの係止突具（凸側）７と左側連結ベルト６Ｂの係止受け具（凹側）８との着脱の順序は、いずれが先でも差し支えなく、救命用つなぎズボン１を着用する人の任意である。
【００６０】
また、右側連結ベルト６Ａの先部に係止受け具（凹側）８が設けられ、左側連結ベルト６Ｂの先部に係止突具（凸側）７が設けられ、胸当て３の右側部３Ａに取り付けた短い保持ベルト１１に係止突具（凸側）７が設けられ、胸当て３の左側部３Ｂに取り付けた短い保持ベルト１１に係止受け具（凹側）８が設けられた構成とすることでもよい。
【００６１】
この場合、右側連結ベルト６Ａと左側連結ベルト６Ｂは、背側で交差する配置であり、このように、右側着脱具５Ａの係止突具（凸側）７と係止受け具（凹側）８の配置に対して、左側着脱具５Ｂの係止突具（凸側）７と係止受け具（凹側）８の配置が逆配置であることによって、右側着脱具５Ａの係止突具（凸側）７と左側着脱具５Ｂの係止受け具（凹側）８の着脱と、右側着脱具５Ａの係止受け具（凹側）８と左側着脱具の係止突具（凸側）７の着脱が、いずれも可能である。
【００６２】
この場合も上記同様に、右側着脱具５Ａの係止突具（凸側）７と係止受け具（凹側）８が結合し、左側着脱具５Ｂの係止突具（凸側）７と係止受け具（凹側）８が結合して、右側連結ベルト６Ａと左側連結ベルト６Ｂを肩に掛けて救命用つなぎズボン１を穿いた状態において、胸当て３と背当て４を下に下げて小用をする場合、右側着脱具５Ａの係止突具（凸側）７と係止受け具（凹側）８を解除し、左側着脱具５Ｂの係止突具（凸側）７と係止受け具（凹側）８を解除して、右側連結ベルト６Ａと左側連結ベルト６Ｂを救命用つなぎズボン１の装着者の胴回り部分または腰回り部分に回し、右側連結ベルト６Ａに取り付けた係止受け具（凹側）８と、左側連結ベルト６Ｂに取り付けた係止突具（凸側）７と結合することによって、胸当て３と背当て４を装着者の胴回り部分、または腰回り部分に縛り付けることができ、救命用つなぎズボン１全体が下がることを防止できる。
【００６３】
このため、救命用つなぎズボン１全体が下がって、床面に触れて汚れることを防止できるようになる。
【００６４】
右側連結ベルト６Ａと左側連結ベルト６Ｂは、背部で交差する構成であるが、右側連結ベルト６Ａは、背当ての右側部から胸当ての右側部に右側着脱具５Ａを介して接続するようにし、左側連結ベルト６Ｂは、背当ての左側部から胸当ての左側部に左側着脱具５Ｂを介して接続するように構成しても、上記同様の作用と効果が得られる。
【産業上の利用可能性】
【００６５】
本考案に係る救命用つなぎズボン１は、上記実施形態に限定されず、本考案の技術的範囲を逸脱しない限り種々の変更が考えられ、それに係る種々の実施形態を包含するものである。
【図面の簡単な説明】
【００６６】
【図１】本考案に係る救命用つなぎズボンの前面図である。（実施例１）
【図２】本考案に係る救命用つなぎズボンの背面図である。（実施例１）
【図３】本考案に係る救命用つなぎズボンに収納された浮力体の配置状態を示す前面図である。（実施例１）
【図４】本考案に係る救命用つなぎズボンに収納された浮力体の配置状態を示す背面図である。（実施例１）
【図５】本考案に係る救命用つなぎズボンの胸当て部の浮力体部分の縦断側面図である。（実施例１）
【図６】（イ）は本考案に係る救命用つなぎズボンの背当ての開口部を示す縦断側面図であり、(ロ)は背当ての開口部を外れた箇所の縦断側面図である。（実施例１）
【図７】本考案に係る救命用つなぎズボンの膝の前側部の浮力体部分の縦断側面図である。（実施例１）
【図８】本考案に係る救命用つなぎズボンの連結ベルトに設けた着脱具５Ａの係止受け具（凹側）と係止突具（凸側）の斜視図である。（実施例１）
【図９】本考案に係る救命用つなぎズボンの連結ベルトに設けた着脱具５Ｂの係止受け具（凹側）と係止突具（凸側）の斜視図である。（実施例１）
【図１０】本考案に係る連結ベルトを蛇腹カバーで覆った構成図である。（実施例１）
【図１１】本考案に係る救命用つなぎズボンを着用した状態を斜視図で示す説明図である。（実施例１）
【図１２】本考案に係る救命用つなぎズボンの胸当て部を開いてつなぎズボンを下げようとする状態を斜視図で示す説明図である。（実施例１）
【図１３】本考案に係る救命用つなぎズボンの胸当てと背当てを繋ぐ脇部分の構成を示す斜視図である。（実施例１）
【符号の説明】
【００６７】
１・・・・・救命用つなぎズボン
２・・・・・ズボン部
２Ａ・・・・ズボン部の胴回り部
２Ｂ・・・・膝部
３・・・・・胸当て
４・・・・・背当て
５Ａ・・・・右側着脱具
５Ｂ・・・・左側着脱具
６Ａ・・・・右側連結ベルト
６Ａ１・・・伸縮ベルト
６Ｂ・・・・左側連結ベルト
６Ｂ１・・・伸縮ベルト
７・・・・・係止突具（凸側）
７Ａ・・・・係止受け具（凹側）７の桟
８・・・・・係止受け具（凹側）
８Ａ・・・・係止受け具（凹側）８の桟
９・・・・・弾性係止部
１０・・・・係止孔
１０Ａ・・・係止孔の端部
１１・・・・保持ベルト
１２・・・・保持部材
１５・・・・浮力体
１５Ａ、１５Ｂ、１５Ｃ、１５Ｄ、１５Ｅ、１５Ｆ・・・・浮力体
２０・・・・表皮（表側材）
３０Ａ・・・第１支持部材（または第１被覆材）
３１Ａ・・・第２支持部材（または第２被覆材）
３０Ｂ・・・第１支持部材（または第１被覆材）
３１Ｂ・・・第２支持部材（または第２被覆材）
３１Ｃ・・・第３支持部材（または第３被覆材）
３２Ａ・・・ベルト
３２Ｂ・・・ベルト
３３・・・・収容部
３４Ａ・・・縫合部又は溶着部
３４Ｂ・・・縫合部又は溶着部
３４Ｃ・・・縫合部又は溶着部
３５Ａ・・・浮力体保持部
３５Ｂ・・・浮力体保持部
４０・・・・防水性蛇腹カバー
４１・・・・ファスナ
４１Ａ・・・ファスナのフック部分
４１Ｂ・・・ファスナのスライダ
４２・・・・防水性面状接着ファスナ
４３・・・・光反射部材
５０・・・・脇部材
１００・・・背当ての開口
１００Ａ・・表皮（表側材）２０を貫通した貫通部
１００Ｂ・・収容部３３を貫通した貫通部
【図１】
0003135804.tif 000003
【図２】
0003135804.tif 000004
【図３】
0003135804.tif 000005
【図４】
0003135804.tif 000006
【図５】
0003135804.tif 000007
【図６】
0003135804.tif 000008
【図７】
0003135804.tif 000009
【図８】
0003135804.tif 000010
【図９】
0003135804.tif 000011
【図１０】
0003135804.tif 000012
【図１１】
0003135804.tif 000013
【図１２】
0003135804.tif 000014
【図１３】
0003135804.tif 000015